(57)【要約】【課題】異なる無線基地局から送信される無線信号の干渉を低減する。【解決手段】第１の無線エリアを提供する第１の無線基地局は、複数の符号化率のうち第１の符号化率で符号化した信号を第１の無線エリアへ送信するとともに、セルサーチ用の複数のコードパターンの中から第１の符号化率に応じたコードパターンを第１の無線エリアへ送信し、無線端末２０−１，２０−２は、セルサーチ処理の過程で検出したコードパターンに基づいて、複数の符号化率から第１の符号化率を識別する。【選択図】図４
2012130074.tif 000002
【特許請求の範囲】
【請求項１】
複数の符号化率を用いて通信し得る複数の無線基地局と、前記複数の無線基地局のうち第１の無線基地局と通信する無線端末と、をそなえた無線通信システムの無線通信方法であって、
第１の無線エリアを提供する前記第１の無線基地局は、
前記複数の符号化率のうち第１の符号化率で符号化した信号を前記第１の無線エリアへ送信するとともに、セルサーチ用の複数のコードパターンの中から前記第１の符号化率に応じたコードパターンを前記第１の無線エリアへ送信し、
前記無線端末は、
セルサーチ処理の過程で検出した前記コードパターンに基づいて、前記複数の符号化率から前記第１の符号化率を識別する、
ことを特徴とする、無線通信方法。
【請求項２】
複数の符号化率を用いて通信し得る複数の無線基地局と、前記複数の無線基地局のうち第１の無線基地局と通信する無線端末と、をそなえた無線通信システムの無線通信方法であって、
第１の無線エリアを提供する前記第１の無線基地局は、
前記複数の符号化率のうち第１の符号化率で符号化した信号を前記第１の無線エリアへ送信するとともに、前記複数の無線基地局が提供する複数の無線エリアに共通のセルサーチ用同期チャネルの信号に、前記第１の符号化率に応じた情報を付与した信号を前記第１の無線エリアに送信し、
前記無線端末は、
前記セルサーチ用同期チャネルの信号に付与された情報に基づいて、前記複数の符号化率から前記第１の符号化率を識別する、
ことを特徴とする、無線通信方法。
【請求項３】
複数の符号化率を用いて通信し得る複数の無線基地局と、前記複数の無線基地局のうち第１の無線基地局と通信する無線端末と、をそなえた無線通信システムの前記無線端末であって、
前記第１の無線基地局から第１の無線エリアへ送信された、前記複数の符号化率のうち第１の符号化率で符号化された信号と、セルサーチ用の複数のコードパターンのうち前記第１の符号化率に応じたコードパターンと、を受信する受信部と、
前記コードパターンを検出し、検出した前記コードパターンに基づいて、前記複数の符号化率から前記第１の符号化率を識別するセルサーチ部と、をそなえた、
ことを特徴とする、無線端末。
【請求項４】
複数の符号化率を用いて通信し得る複数の無線基地局と、前記複数の無線基地局のうち第１の無線基地局と通信する無線端末と、をそなえた無線通信システムの前記無線端末であって、
前記第１の無線基地局から第１の無線エリアへ送信された、前記複数の符号化率のうち第１の符号化率で符号化された信号と、前記複数の無線基地局が提供する複数の無線エリアに共通のセルサーチ用同期チャネルの信号に前記第１の符号化率に応じた情報を付与した信号と、を受信する受信部と、
前記セルサーチ用同期チャネルの信号を検出し、検出した前記セルサーチ用同期チャネルの信号に付与された情報に基づいて、前記複数の符号化率から前記第１の符号化率を識別するセルサーチ部と、をそなえた、
ことを特徴とする、無線端末。
【請求項５】
複数の符号化率を用いて通信し得る複数の無線基地局と、前記複数の無線基地局のうち第１の無線基地局と通信する無線端末と、をそなえた無線通信システムであって、
第１の無線エリアを提供する前記第１の無線基地局は、
前記複数の符号化率のうち第１の符号化率で符号化した信号を前記第１の無線エリアへ送信するとともに、セルサーチ用の複数のコードパターンの中から前記第１の符号化率に応じたコードパターンを前記第１の無線エリアに送信する送信手段をそなえ、
前記無線端末は、
セルサーチ処理の過程で検出した前記コードパターンに基づいて、前記複数の符号化率から前記第１の符号化率を識別する手段をそなえた、
ことを特徴とする、無線通信システム。
【請求項６】
複数の符号化率を用いて通信し得る複数の無線基地局と、前記複数の無線基地局のうち第１の無線基地局と通信する無線端末と、をそなえた無線通信システムであって、
第１の無線エリアを提供する前記第１の無線基地局は、
前記複数の符号化率のうち第１の符号化率で符号化した信号を前記第１の無線エリアへ送信するとともに、前記複数の無線基地局が提供する複数の無線エリアに共通のセルサーチ用同期チャネルの信号に、前記第１の符号化率に応じた情報を付与した信号を前記第１の無線エリアに送信する送信手段をそなえ、
前記無線端末は、
前記セルサーチ用同期チャネルの信号に付与された情報に基づいて、前記複数の符号化率から前記第１の符号化率を識別する手段をそなえた、
ことを特徴とする、無線通信システム。
【発明の詳細な説明】
【技術分野】
【０００１】
本件は、無線通信方法、無線端末及び無線通信システムに関する。本件は、例えば、フェムトセルとも呼ばれる小型の基地局を用いた無線通信システムに用いられる場合がある。
【背景技術】
【０００２】
3rd Generation Partnership Project（３ＧＰＰ）で検討されている無線通信技術の一つにHome NodeB（Home-NB）がある。このHome-NBは、形成可能な無線エリア（セル）の半径の観点から、フェムトセルとも呼ばれる。
Home-NBは、既存の無線基地局に比べて小規模な無線サービスエリア（セル）を形成することが可能であり、例えば、無線サービスエリアの拡大を一つの目的として、セルラシステムのサービスエリア内において、各家庭（屋内）やオフィスビルのフロア、地下街などの電波不感帯に設置することができる。このHome-NBは、Local Area Network（ＬＡＮ）や、Asymmetric Digital Subscriber Line（ＡＤＳＬ）、光ファイバなどを利用して、既存の無線基地局を制御する装置（上位ノード）などと接続することが可能である。
【０００３】
なお、無線通信技術に関する従来例として、下記の文献が挙げられる。
【先行技術文献】
【特許文献】
【０００４】
【特許文献１】特開２００６−２６１７２２号公報
【特許文献２】特表２０００−５１３５４７号公報
【特許文献３】特開２００６−２９５６４３号公報
【非特許文献】
【０００５】
【非特許文献１】3GPP TR 25.820 v1.0.0、[online]、２００７年１２月１１日、3rdGeneration Partnership Project、［平成２０年２月２１日検索］、インターネット〈http://www.3gpp.org/ftp/Specs/archive/25_series/25.820/25820-100.zip〉
【非特許文献２】3GPP TS 25.214 v8.0.0、[online]、２００７年１２月１１日、3rdGeneration Partnership Project、［平成２０年２月２１日検索］、インターネット〈http://www.3gpp.org/ftp/Specs/archive/25_series/25.214/25214-800.zip〉
【発明の概要】
【発明が解決しようとする課題】
【０００６】
上述のようなHome-NBを用いた無線通信システムでは、Home-NBの送信電波（無線信号）が既存の無線基地局の送信電波の干渉となる場合がある。
本件の目的の一つは、異なる無線基地局から送信される無線信号の干渉を低減することにある。
なお、前記目的に限らず、後述する実施形態に示す各構成により導かれる作用効果であって、従来の技術によっては得られない作用効果を奏することも他の目的の一つとして位置付けることができる。
【課題を解決するための手段】
【０００７】
（１）第１の案として、例えば、複数の符号化率を用いて通信し得る複数の無線基地局と、前記複数の無線基地局のうち第１の無線基地局と通信する無線端末と、をそなえた無線通信システムの無線通信方法であって、第１の無線エリアを提供する前記第１の無線基地局は、前記複数の符号化率のうち第１の符号化率で符号化した信号を前記第１の無線エリアへ送信するとともに、セルサーチ用の複数のコードパターンの中から前記第１の符号化率に応じたコードパターンを前記第１の無線エリアへ送信し、前記無線端末は、セルサーチ処理の過程で検出した前記コードパターンに基づいて、前記複数の符号化率から前記第１の符号化率を識別する、無線通信方法を用いることができる。
【０００８】
（２）また、第２の案として、例えば、複数の符号化率を用いて通信し得る複数の無線基地局と、前記複数の無線基地局のうち第１の無線基地局と通信する無線端末と、をそなえた無線通信システムの無線通信方法であって、第１の無線エリアを提供する前記第１の無線基地局は、前記複数の符号化率のうち第１の符号化率で符号化した信号を前記第１の無線エリアへ送信するとともに、前記複数の無線基地局が提供する複数の無線エリアに共通のセルサーチ用同期チャネルの信号に、前記第１の符号化率に応じた情報を付与した信号を前記第１の無線エリアに送信し、前記無線端末は、前記セルサーチ用同期チャネルの信号に付与された情報に基づいて、前記複数の符号化率から前記第１の符号化率を識別する、無線通信方法を用いることができる。
【０００９】
（３）さらに、第３の案として、例えば、複数の符号化率を用いて通信し得る複数の無線基地局と、前記複数の無線基地局のうち第１の無線基地局と通信する無線端末と、をそなえた無線通信システムの前記無線端末であって、前記第１の無線基地局から第１の無線エリアへ送信された、前記複数の符号化率のうち第１の符号化率で符号化された信号と、セルサーチ用の複数のコードパターンのうち前記第１の符号化率に応じたコードパターンと、を受信する受信部と、前記コードパターンを検出し、検出した前記コードパターンに基づいて、前記複数の符号化率から前記第１の符号化率を識別するセルサーチ部と、をそなえた、無線端末を用いることができる。
【００１０】
（４）また、第４の案として、例えば、複数の符号化率を用いて通信し得る複数の無線基地局と、前記複数の無線基地局のうち第１の無線基地局と通信する無線端末と、をそなえた無線通信システムの前記無線端末であって、前記第１の無線基地局から第１の無線エリアへ送信された、前記複数の符号化率のうち第１の符号化率で符号化された信号と、前記複数の無線基地局が提供する複数の無線エリアに共通のセルサーチ用同期チャネルの信号に前記第１の符号化率に応じた情報を付与した信号と、を受信する受信部と、前記セルサーチ用同期チャネルの信号を検出し、検出した前記セルサーチ用同期チャネルの信号に付与された情報に基づいて、前記複数の符号化率から前記第１の符号化率を識別するセルサーチ部と、をそなえた、無線端末を用いることができる。
【００１１】
（５）さらに、第５の案として、例えば、複数の符号化率を用いて通信し得る複数の無線基地局と、前記複数の無線基地局のうち第１の無線基地局と通信する無線端末と、をそなえた無線通信システムであって、第１の無線エリアを提供する前記第１の無線基地局は、前記複数の符号化率のうち第１の符号化率で符号化した信号を前記第１の無線エリアへ送信するとともに、セルサーチ用の複数のコードパターンの中から前記第１の符号化率に応じたコードパターンを前記第１の無線エリアに送信する送信手段をそなえ、前記無線端末は、セルサーチ処理の過程で検出した前記コードパターンに基づいて、前記複数の符号化率から前記第１の符号化率を識別する手段をそなえた、無線通信システムを用いることができる。
【００１２】
（６）また、第６の案として、例えば、複数の符号化率を用いて通信し得る複数の無線基地局と、前記複数の無線基地局のうち第１の無線基地局と通信する無線端末と、をそなえた無線通信システムであって、第１の無線エリアを提供する前記第１の無線基地局は、前記複数の符号化率のうち第１の符号化率で符号化した信号を前記第１の無線エリアへ送信するとともに、前記複数の無線基地局が提供する複数の無線エリアに共通のセルサーチ用同期チャネルの信号に、前記第１の符号化率に応じた情報を付与した信号を前記第１の無線エリアに送信する送信手段をそなえ、前記無線端末は、前記セルサーチ用同期チャネルの信号に付与された情報に基づいて、前記複数の符号化率から前記第１の符号化率を識別する手段をそなえた、無線通信システムを用いることができる。
【発明の効果】
【００１３】
無線基地局から無線端末宛に送信される無線制御信号が他の無線基地局からの無線制御信号に与える干渉を低減することが可能である。
また、無線端末が無線基地局からの無線制御信号を確実に受信することが可能となる。
【図面の簡単な説明】
【００１４】
【図１】一実施形態に係る無線通信システムの構成例を示すブロック図である。
【図２】図１に示すＢＳの構成例を示すブロック図である。
【図３】図１に示すHome-NBの構成例を示すブロック図である。
【図４】図１に示すＵＥの構成例を示すブロック図である。
【図５】図１に示すＢＳの動作例を示す図である。
【図６】図１に示すＵＥの動作例を示す図である。
【図７】セルサーチに用いられるセカンダリ同期コードのコードグループの割り当て例を示す図である。
【図８】図１に示すHome-NBの送信フレームの一例を示す図である。
【発明を実施するための形態】
【００１５】
以下、図面を参照して実施の形態を説明する。ただし、以下に示す実施形態は、あくまでも例示に過ぎず、以下に示す実施形態で明示しない種々の変形や技術の適用を排除する意図はない。即ち、本実施形態は、その趣旨を逸脱しない範囲で種々変形（各実施形態を組み合わせる等）して実施することができる。
〔１〕一実施形態
図１は、一実施形態に係る無線通信システムの構成例を示すブロック図である。この図に例示する無線通信システムは、第１の無線サービスエリア（セル又はセクタ）１００を提供するBase Station（ＢＳ、無線基地局）３０と、このＢＳ３０の無線サービスエリア１００内においてＢＳ３０と無線リンクにより通信し得る第１のUser Equipment（ＵＥ、無線端末）２０−１と、をそなえる。また、ＢＳ３０の無線サービスエリア１００には、例示的に、第２の無線サービスエリア（セル又はセクタ）２００を提供するHome NodeB（Home-NB）１０が設置され、このHome-NB１０の無線サービスエリア２００内において第２のＵＥ２０−２はHome-NB１０と無線リンクにより通信することができる。ＢＳ３０及びHome-NB１０は、例示的に、ＢＳ３０及びHome-NB１０をそれぞれ管理、制御することのできる上位ノード４０に接続されている。なお、ＵＥ２０−１及びＵＥ２０−２は、いずれも、ＢＳ３０の無線サービスエリア１００ではＢＳ３０と通信することができ、Home-NB１０の無線サービスエリア２００ではHome-NB１０と通信することができる。以下において、ＵＥ２０−１とＵＥ２０−２とを区別しない場合は、単にＵＥ２０と表記する。ＢＳ３０，Home-NB１０及びＵＥ２０それぞれの数は、図１に例示する数に限定されない。
【００１６】
ＢＳ（第１の無線基地局）３０は、例えば、自局３０が有する送信アンテナ（図示省略）から無線サービスエリア１００内に存在するＵＥ２０に対して無線信号を送信する機能を具備する。
ＢＳ３０の無線サービスエリア１００は、例えば、半径数百ｍ〜十数ｋｍである。この無線サービスエリア１００は、複数のセクタに分割される場合もある。
【００１７】
ＵＥ２０は、ＢＳ３０またはHome-NB１０が形成する無線サービスエリア１００又は２００において、ＢＳ３０またはHome-NB１０と無線リンクにより通信する機能を具備する。無線リンクには、ＢＳ３０またはHome-NB１０からＵＥ２０への方向であるダウンリンク（ＤＬ）と、その逆の方向であるアップリンク（ＵＬ）とが含まれ、それぞれ、制御ＣＨとデータＣＨとを含むことができる。ＵＥ２０が前記無線リンクで用いる無線リソース（周波数、タイミング）は、ＢＳ３０またはHome-NB１０でのスケジューリングにより割り当てる（指定する）ことができる。
【００１８】
また、上位ノード４０は、ＩＰ網などのコアネットワークのエンティティであり、ＢＳ３０及びHome-NB１０を管理、制御する機能を具備し、ＢＳ３０及びHome-NB１０を介してＵＥ２０と通信することができる。
本例の上位ノード４０は、例えば、ＢＳ３０及びHome-NB１０から各種の設定情報などを収集し、他のＢＳ３０、他のHome-NB１０へ前記設定情報を通知することもできる。
【００１９】
Home-NB（第２の無線基地局）１０は、無線サービスエリア２００に無線信号を送信する。このHome-NB１０は、例えば、ＬＡＮやＡＤＳＬ、光ファイバを利用して上位ノード４０と接続されて、上位ノード４０と制御信号やユーザデータ等の信号の送受信を行なうことができる。なお、Home-NB１０は、例えば、ＢＳ３０からの電波が到達しないか到達しにくいエリア（地下街、屋内などの電波不感帯）に配置することで、無線サービスエリア１００を補完、拡大することができる。これにより、例えば、ＵＥ２０−２がＢＳ３０の無線サービスエリア１００の電波不感帯に位置していても、Home-NB１０の無線サービスエリア２００内に位置していれば、ＢＳ３０から提供される通信サービスと同様の通信サービスを享受することができる。
【００２０】
ところで、本例のＢＳ３０及びHome-NB１０は、ＤＬの共通制御チャネルの一例として、Broadcast Channel（ＢＣＨ、報知チャネル）及びPaging Channel（ＰＣＨ、ページングチャネル）のいずれか一方又は双方を用いて、ＵＥ２０宛に各種の制御情報を同報することができる。
上記ＢＣＨは、ＵＥ２０が無線サービスエリア１００又は２００を識別するための情報や、システム固有の情報をＵＥ２０宛に報知するのに用いられる制御チャネルであり、ＰＣＨは、各無線サービスエリア１００，２００内のＵＥ２０宛に、同一の情報を報知するのに用いられる制御チャネルである。
【００２１】
ＢＳ３０及びHome-NB１０は、ＵＥ２０宛の上記共通制御チャネルの信号（以下、共通制御信号あるいは制御信号ともいう）を所定の符号化率で符号化した後、所定の送信電力でＵＥ２０宛に送信する。なお、符号化率とは、「符号化する前のデータのビット数」に対する「符号化後のビット数」の比（割合）のことである。
ここで、図１に例示するように、ある無線端末２０−１がＢＳ３０から離れた場所で、かつ、Home-NB１０の無線サービスエリア２００に近い場所に位置している場合、その位置では、ＢＳ３０からの送信電力よりもHome-NB１０からの送信電力の方が大きくなりやすい。その場合、Home-NB１０からＵＥ２０−２宛に送信される共通制御信号が、ＢＳ３０からＵＥ２０−１宛に送信される共通制御信号の干渉となりやすい。なお、ＢＳ３０から送信される共通制御信号（ＢＣＨ／ＰＣＨ信号）は第１の信号の一例であり、Home-NB１０から送信される共通制御信号（ＢＣＨ／ＰＣＨ信号）は、前記第１の信号と共通する第２の信号の一例である。
【００２２】
ＢＳ３０の無線サービスエリア１００内に位置する全てのＵＥ２０がHome-NB１０の無線サービスエリア２００内に位置しており、各ＵＥ２０がHome-NB１０と通信することもあり得るが、レアケースであると思われる。Home-NB１０に同時に接続できるＵＥ２０の数にも限りがあるため、Home-NB１０の無線サービスエリア２００内に位置していてもHome-NB１０に接続することのできないＵＥ２０が存在するのが一般的といえる。そのような場合、Home-NB１０に接続することのできないＵＥ２０は、ＢＳ３０から送信される共通制御信号の受信を試行することができるが、Home-NB１０の送信電波が干渉となり、受信失敗率が高くなりやすくなる。
【００２３】
そこで、本例の無線通信システムでは、ＢＳ３０が、無線サービスエリア１００において制御信号を第１の符号化率で符号化し、第１の送信電力でＵＥ２０−１に送信する一方、Home-NB１０は、無線サービスエリア２００において制御信号を前記第１の符号化率よりも小さい第２の符号化率で符号化し、前記第１の送信電力よりも低い送信電力でＵＥ２０−２に送信する。
【００２４】
これにより、Home-NB１０から送信される制御信号は、ＢＳ３０から送信される制御信号の送信電力よりも低い電力で送信されるが、符号化率がＢＳ３０よりも小さいため、誤り耐性は向上する。換言すれば、Home-NB１０（無線サービスエリア２００）での制御信号の符号化率を下げる（つまりは送信レートを下げる）ことで、ＵＥ２０が制御信号を適切に受信するのに必要な送信電力を下げることができる。
【００２５】
したがって、Home-NB１０の無線サービスエリア２００での受信特性の劣化を抑制しつつ、Home-NB１０から送信される制御信号がＢＳ３０から送信される制御信号の干渉となることを抑制することが可能となる。
ここで、上述のように、ＢＳ３０の無線サービスエリア１００内に、当該ＢＳ３０で用いる符号化率とは異なる（小さい）符号化率を用いるHome-NB１０が存在する場合、そのHome-NB１０の無線サービスエリア２００において送信される制御信号をＵＥ２０が適切に受信、復号するには、Home-NB１０で制御信号の符号化に用いている符号化率を何らかの手段により知ることが好ましい。
【００２６】
Home-NB１０で用いる符号化率がいずれのHome-NB１０においても同じとするならば、予めＵＥ２０にその符号化率に関する情報をもたせておくことができる。そうでなければ、ＢＳ３０からＵＥ２０に対してHome-NB１０の存在とそのHome-NB１０で用いる符号化率とを通知するのが好ましい。例えば、Home-NB１０の存在とそのHome-NB１０で用いる符号化率とを、報知チャネル等を用いて、ＢＳ３０の無線サービスエリア１００に同報することができる。
【００２７】
あるいは、ＢＳ３０とHome-NB１０とで符号化率に応じたセルサーチ（同期検出）方法（セルサーチに用いる既知信号パターンが送信されるチャネル）をそれぞれ規定しておき、ＵＥ２０でこの規定された複数種類のセルサーチを行なう。これにより、セルサーチの段階でＵＥ２０に各無線サービスエリア１００，２００におけるＤＬの制御信号の符号化率を認識させることが可能となる。
【００２８】
あるいは、セルサーチ用のチャネル（既知信号パターン）は、ＢＳ３０及びHome-NB１０で用いる符号化率によらず共通とし、多段階セルサーチの第２段階の処理で用いられるコードパターンに１ビット以上の属性情報（ＢＳ３０かHome-NB１０かを示す情報）を付与する。これにより、ＵＥ２０は、多段階セルサーチの過程で、ＢＳ３０が送信した制御信号（第１の符号化率）かHome-NB１０が送信した制御信号（第２の符号化率）かを識別することが可能となる。
【００２９】
〔２〕無線通信システムの具体例について
以下、上述した無線通信システムの詳細な一例について説明する。
（２．１）一実施例
（２．１．１）ＢＳ３０について
図２は、ＢＳ３０の構成例を示すブロック図である。この図２に示すＢＳ３０は、例示的に、情報収集部３１と、ＢＣＨ生成部３２と、符号化部３３，３４と、多重化部３５と、変調部３６と、増幅部３７と、送信アンテナ３８と、を有する。
【００３０】
情報収集部３１は、ＢＳ３０の無線サービスエリア１００内に位置するHome-NB１０に関する各種情報を収集する。例えば、本例の情報収集部３１は、上位ノード４０と通信して上位ノード４０からHome-NB１０の位置に関する情報（無線サービスエリア１００内にHome-NB１０が存在するかどうかなどの存在有無情報）およびHome-NB１０における符号化率（第２の符号化率）を示す情報のいずれか一方又は双方を収集することができる。なお、情報収集部３１は、無線サービスエリア１００内のHome-NB１０と通信して直接的にHome-NB１０から上記の情報を収集することもできる。
【００３１】
ＢＣＨ生成部３２は、情報収集部３１で収集した上記情報を含むＢＣＨ信号を生成する。
符号化部３３は、ＢＣＨ生成部３１で生成された、無線サービスエリア１００へ送信するＢＣＨ信号を所定の符号化方式（例えば、ターボ符号化方式、畳み込み符号化方式など）で符号化する。この符号化部３３は、例示的に、無線通信システムで予め規定される半固定値のＢＣＨ用符号化率パラメータ（第１の符号化率）で、上記ＢＣＨ信号を符号化する。
【００３２】
また、符号化部３４は、無線サービスエリア１００へ送信するＰＣＨ信号を所定の符号化方式（例えば、ターボ符号化方式、畳み込み符号化方式など）で符号化する。この符号化部３４も、例示的に、本無線通信システムで予め規定される半固定値のＰＣＨ用符号化率パラメータ（第１の符号化率）で、上記ＰＣＨ信号を符号化する。
即ち、符号化部３３及び３４は、複数のＵＥ２０宛の共通の制御信号（ＢＣＨ信号、ＰＣＨ信号など）を、第１の符号化率で符号化する第１の符号化処理部として機能する。
【００３３】
多重化部３５は、符号化部３３，３４により第１の符号化率で符号化されたＢＣＨ信号及びＰＣＨ信号を多重化する。前記多重化には、例示的に、時分割多重、周波数分割多重、符号分割多重のいずれか１又は２以上の組み合わせを用いることができる。
変調部３６は、多重化部３５で多重された制御信号を、所定の変調方式〔例えば、ＰＳＫ（Phase Shift Keying）や、ＱＡＭ（Quadrature Amplitude Modulation）など〕で変調する機能を具備する。なお、変調信号をＤＡ変換するＤＡ変換器や、無線周波数に周波数変換（アップコンバージョン）する周波数変換器などの送信処理に関する一部のブロックについては図２において図示を省略している。
【００３４】
増幅部３７は、変調部３６で変調された信号を所定の送信電力（第１の送信電力）に増幅する。なお、前記第１の送信電力も、無線通信システムで予め規定される半固定の値とすることができる。
送信アンテナ３８は、増幅部３７により増幅された無線信号を無線サービスエリア１００へ送信する。
【００３５】
即ち、符号化部３３，３４、多重化部３５、変調部３６、増幅部及び送信アンテナ３８は、第１の信号を、第１の符号化率で符号化して第１の送信電力で前記第１の無線エリアに送信する第１の送信手段の一例として機能する。
上述のＢＳ３０の動作例について説明すると、図５に例示するように、情報収集部３１が、自局３０の無線サービスエリア１００内に位置するHome-NB１０に関する情報を収集する（ステップＳ１）。
【００３６】
そして、ＢＣＨ生成部３２が、ステップＳ１にて収集した情報を含むＢＣＨ信号を生成する（ステップＳ２）。このＢＣＨ信号は、符号化部３３により第１の符号化率で符号化された後、多重化部３５，変調部３６及び増幅部３７でそれぞれ多重、変調、増幅処理を受けて、ＵＥ２０宛に前記第１の送信電力で送信される（ステップＳ３）。
なお、前記の第１の符号化率及び第１の送信電力は、システムで規定される半固定の値であれば、ＵＥ２０及びHome-NB１０に対しても既知である。
【００３７】
また、Home-NB１０の符号化処理で用いられる後述の第２の符号化率については、ＢＳ３０が、上位ノード４０またはHome-NB１０から情報収集し、ＢＣＨ信号によりＵＥ２０宛に通知することができる。これにより、ＵＥ２０は、上記第２の符号化率の値を知ることができる。
（２．１．２）Home-NB１０について
一方、図３は、Home-NB１０の構成例を示すブロック図である。この図３に示すHome-NB１０は、例示的に、符号化部１１，１２と、多重化部１３と、変調部１４と、増幅部１５と、制御部１６と、サービスエリア判定部１７と、設置報告部１８と、送信アンテナ１９と、を有する。
【００３８】
ここで、符号化部１１は、無線サービスエリア２００へ送信するＢＣＨ信号を所定の符号化方式（例えば、ターボ符号化方式、畳み込み符号化方式など）で符号化する。
符号化部１２は、無線サービスエリア１００へ送信するＰＣＨ信号を所定の符号化方式（例えば、ターボ符号化方式、畳み込み符号化方式など）で符号化する。
これらの符号化部１１，１２での符号化率（パラメータ）は、例えば、制御部１６から与えられる。すなわち、符号化部１１にはＢＣＨ用符号化率パラメータが、符号化部１２にはＰＣＨ用符号化率パラメータが、それぞれ制御部１６から与えられる。ここで、これらの各符号化率パラメータ（第２の符号化率）は、例えば、ＢＳ３０での前記符号化率よりも小さい値に設定される。
【００３９】
即ち、符号化部１１及び１２は、複数のＵＥ２０宛の制御信号（ＢＣＨ信号、ＰＣＨ信号など）を、前記第１の符号化率よりも小さい第２の符号化率で符号化する符号化処理部として機能する。第２の符号化率は、上記第１の符号化率よりも小さい値であるので、第２の符号化率で符号化処理を施されたデータは、第１の符号化率で符号化処理を施されたデータと比べて、相対的に大きな誤り耐性を有することになる。
【００４０】
多重化部１３は、各符号化部１１，１２で符号化された制御信号を多重化する。前記多重化についても、例示的に、時分割多重、周波数分割多重、符号分割多重のいずれか１又は２以上の組み合わせを用いることができる。
変調部１４は、多重化部１３で多重された制御信号を、所定の変調方式（例えば、ＰＳＫや、ＱＡＭなど）で変調する。なお、変調信号をＤＡ変換するＤＡ変換器や、無線周波数に周波数変換（アップコンバージョン）する周波数変換器などの送信処理に関する一部のブロックについては図３において図示を省略している。
【００４１】
増幅部（送信処理部）１５は、変調部１４で変調された信号を所定の送信電力（第２の送信電力）に増幅する。この増幅部１５の増幅率は、例えば制御部１６から与えられる電力制御パラメータによって制御することができる。この電力制御パラメータの設定により、前記第２の送信電力は、例えば、ＢＳ３０からの制御信号の送信電力よりも低い送信電力に制御することができる。したがって、Home-NB１０から送信される制御信号（ＢＣＨ信号、ＰＣＨ信号など）が、ＢＳ３０から送信される制御信号に対する干渉となることを抑制することができる。
【００４２】
送信アンテナ１９は、増幅部１５により増幅された無線信号を無線サービスエリア２００へ送信する。
制御部１６は、上述のごとく符号化率パラメータを用いて符号化部１１，１２における符号化率（パラメータ）を制御する一方、電力制御パラメータを用いて増幅部１５の増幅率（つまりは制御信号の送信電力）を制御する。
【００４３】
サービスエリア判定部１７は、自局（Home-NB）１０がＢＳ３０の無線サービスエリア１００内に位置しているかどうかを判定する。その判定手法の一例としては、ＢＳ３０から送信される、ＢＳ３０毎に異なるパターンの既知信号の受信信号強度（例えば、signal to interference ratio：ＳＩＲ）を測定することが挙げられる。また、例示的に、ＵＥ２０が有する後述のセルサーチと同様に、自局（Home-NB）１０が在圏する無線サービスエリアを自律的に検知することにより、上記判定を行なうことも可能である。さらには、ＢＳ３０から通知される基地局情報（ＢＳ３０の位置情報や無線サービスエリア１００に関する情報など）及びglobal positioning system（ＧＰＳ）により計測可能な自局１０の位置情報に基づき、上記判定を行なうことも可能である。
【００４４】
設置報告部１８は、上記サービスエリア判定部１７での判定結果に基づき、自局（Home-NB）１０の位置情報（存在有無情報）、または、符号化部１１及び１２で用いる上記第２の符号化率を示す情報、あるいはそれらの双方をＢＳ３０または上位ノード４０に報告（通知）する。
即ち、符号化部１１，１２、多重化部１３、変調部１４、増幅部１５、制御部１６及び送信アンテナ１９は、前記第１の信号と共通する第２の信号を、第２の符号化率で符号化して第２の送信電力で前記第２の無線エリアに送信する第２の送信手段の一例として機能する。
【００４５】
これにより、ＢＳ３０は、直接、あるいは、上位ノード４０経由でHome-NB１０から報告された自局３０の無線サービスエリア１００内のHome-NB１０の存在と、そのHome-NB１０で用いる符号化率と、を把握して、それらの情報を無線サービスエリア１００に在圏するＵＥ２０に対して通知（例えば、同報）することが可能となる。
（２．１．３）ＵＥ２０について
次に、図４を用いてＵＥ２０の構成例を説明する。この図４に示すＵＥ２０は、例示的に、受信アンテナ２８と、復調部２１と、分離部２２と、セルサーチ部２３と、復号化部２４，２５と、ＢＣＨ／ＰＣＨ符号化率決定部２６と、パラメータ切替部２７と、を有する。
【００４６】
ここで、受信アンテナ２８は、ＢＳ３０から送信された無線信号又はHome-NB１０から送信された無線信号を受信する無線インタフェースである。
復調部（受信部）２１は、受信アンテナ２８にて受信したＢＳ３０又はHome-NB１０からの無線信号を、送信側（ＢＳ３０又はHome-NB１０）での変調方式に対応した復調方式で復調する。
【００４７】
分離部２２は、復調部２１により復調された無線信号から制御信号の一例としてのＢＣＨ信号及びＰＣＨ信号を分離（つまりチャネル分離）する。本例の分離部２２は、例えば、ＢＳ３０の多重化部３５、又は、Home-NB１０の多重化部１３での多重化方式に対応する分離方式で信号分離を行なうことにより、上記ＢＣＨ信号及びＰＣＨ信号を分離する。
セルサーチ部（第１のセルサーチ部）２３は、復調部２１の復調信号を基に、ＢＳ３０の無線サービスエリア１００又はHome-NB１０の無線サービスエリア２００を検索（セルサーチ）して、ＢＳ３０又はHome-NB１０から受信されるＤＬの無線信号との同期（フレーム同期）を確立する。このセルサーチには、例えば、ＢＳ３０又はHome-NB１０から周期的に報知される既知信号（例えば、共通パイロット信号等）を用いることができる。
【００４８】
既知信号は、ＢＳ３０又はHome-NB１０毎に異なるパターンの信号とすることができ、ＵＥ２０は、予め複数種類のパターン信号（レプリカ）を記憶しておき、それらのパターンのうち受信品質（例えば、受信レベル）が好適あるいは最適なものを通信先のＢＳ３０又はHome-NB１０として選択することができる。
ここで、既知信号のパターンを、例えば、ＢＳ３０及びHome-NB１０での前記符号化率の相違に応じたパターンとしておくことで、前記セルサーチにより受信品質が好適あるいは最適な通信先の選択（検出）とともに、その通信先で用いる符号化率を識別することが可能となる。
【００４９】
したがって、この場合は、ＢＳ３０からHome-NB１０の位置や符号化率に関する情報をＵＥ２０に報知しなくてもよい。当該報知は、前記セルサーチと併せて行なうこととしてもよい。また、前記符号化率の識別は、前記セルサーチではなく、前記報知によって行なうこととしてもよい。
ＢＳ３０が前記報知を行なう場合には、その報知情報（符号化率パラメータ）は、例えば、ＢＣＨ信号に含めることができる。この場合、ＵＥ２０は、復号化部２４にて復号されたＢＣＨ信号からＢＳ３０での前記符号化率（パラメータ）を検出することができ、検出した符号化率パラメータをＢＣＨ／ＰＣＨ符号化率決定部２６に与えることが可能となる。
【００５０】
ＢＣＨ／ＰＣＨ符号化率決定部２６は、ＢＳ３０及びHome-NB１０からの制御信号（ＢＣＨ信号、ＰＣＨ信号）を復号化部２４，２５にて復号化する際に参照する符号化率（パラメータ）を決定（選択）する。ここで決定（選択）される符号化率は、例えば、前記セルサーチ部２３（又は復号化部２４）により検出された符号化率（パラメータ）である。
即ち、ＵＥ２０がＢＳ３０の無線サービスエリア１００に在圏する場合には、ＢＳ３０での前記第１の符号化率（ＢＣＨ／ＰＣＨ用符号化率パラメータ）が選択される。
【００５１】
一方、ＵＥ２０がHome-NB１０の無線サービスエリア２００に在圏する場合には、Home-NB１０での前記第２の符号化率（ＢＣＨ／ＰＣＨ用符号化率パラメータ）が選択される。
なお、選択されたＢＣＨ／ＰＣＨ用符号化率（パラメータ）は、パラメータ切替部２７に与えられる。
パラメータ切替部２７は、上記ＢＣＨ／ＰＣＨ符号化率決定部２６から与えられたＢＣＨ／ＰＣＨ用符号化率パラメータをそれぞれ対応する復号化部２４，２５に与えて、復号化部２４，２５で用いる符号化率を更新する（切り替える）。
【００５２】
復号化部２４は、分離部２２で分離されたＢＣＨ信号を、送信側（ＢＳ３０又はHome-NB１０）での符号化方式に対応する復号化方式で、及び、パラメータ切替部２７から与えられたＢＣＨ用符号化率パラメータに応じた復号化を行なう。
また、復号化部２５は、分離部２２で分離されたＰＣＨ信号を、送信側（ＢＳ３０又はHome-NB１０）での符号化方式に対応する復号化方式、及び、パラメータ切替部２７から与えられたＰＣＨ用符号化率パラメータに応じた復号化を行なう。
【００５３】
即ち、ＵＥ２０がHome-NB１０の無線サービスエリア２００に在圏して前記セルサーチによりHome-NB１０を通信先として選択した場合、復号化部２４及び２５は、復調部２１で復調された受信制御信号（ＢＣＨ信号、ＰＣＨ信号など）を、ＢＳ３０での前記第１の符号化率よりも小さい第２の符号化率に応じた復号化を行なう復号化処理部として機能する。
【００５４】
上述したＵＥ２０の動作例について、図６を用いて説明する。ただし、図６は、Home-NB１０の符号化率に関する情報（符号化率パラメータ）がＢＳ３０から報知されるケースについて例示している。
すなわち、ＵＥ２０は、ＢＳ３０が送信する制御信号（ＢＣＨ信号、ＰＣＨ信号）を受信、復号できるように、まず、復号化部２４，２５で用いるＢＣＨ／ＰＣＨ用符号化率を既知のＢＣＨ／ＰＣＨ用符号化率（第１の符号化率）に設定する（ステップＳ４）。
その後、ＵＥ２０は、ＢＳ３０から送信された制御信号を受信すると（ステップＳ５）、復号化部２４，２５で受信制御信号を前記第１の符号化率に応じた復号化を行なう。復号したＢＣＨ信号には、例示的に、Home-NB１０の位置情報と、Home-NB１０で用いるＢＣＨ／ＰＣＨ用符号化率（第２の符号化率）に関する情報（パラメータ）と、が含まれている。これらの情報は、ＢＣＨ／ＰＣＨ符号化率決定部２６に与えられる（ステップＳ６）。
【００５５】
そして、ＢＣＨ／ＰＣＨ符号化率決定部２６は、与えられた前記Home-NB１０の位置情報から自局２０がHome-NB１０の無線サービスエリア２００に在圏しているかを判断する。在圏していれば、ＢＣＨ／ＰＣＨ符号化率決定部２６は、前記受信ＢＣＨ信号から得られた第２の符号化率（パラメータ）を、パラメータ切替部２７を通じて復号化部２４，２５に設定する。これにより、復号化部２４，２５の符号化率パラメータが更新され、以後、ＵＥ２０は、Home-NB１０から前記第２の符号化率で符号化されて送信される制御信号（ＢＣＨ信号、ＰＣＨ信号）を適切に復号することが可能な状態となる。なお、既述のように、セルサーチ部２３によるセルサーチの段階でHome-NB１０での制御信号の符号化率（パラメータ）を同定する場合には、同定した符号化率パラメータをＢＣＨ／ＰＣＨ符号化率決定部２６に与えればよい。
【００５６】
その後、ＵＥ２０は、Home-NB１０において制御信号を受信すれば、復号化部２４，２５において前記第２の符号化率パラメータを用いて、受信制御信号の復号を行なう（ステップＳ７）。
以上のように、本例のＵＥ２０は、Home-NB１０から送信される制御信号の符号化率（第２の符号化率）を、ＢＳ３０から報知を受けることで知ることができる。
【００５７】
これにより、本例のＵＥ２０は、第１の符号化率で符号化された、ＢＳ３０からの制御信号、及び、第２の符号化率で符号化された、Home-NB１０からの制御信号のいずれを受信しても、それぞれの制御信号を適切に復号化することが可能となる。
（２．２）上記無線通信システムの動作例
上述のように、本例の無線通信システムによれば、ＢＳ３０は、無線サービスエリア１００に在圏するＵＥ２０−１宛の制御信号（ＢＣＨ信号、ＰＣＨ信号など）を、第１の符号化率で符号化し、第１の送信電力でＵＥ２０−１宛に送信する。一方、Home-NB１０は、無線サービスエリア２００に在圏するＵＥ２０−２宛の制御信号（ＢＣＨ信号、ＰＣＨ信号など）を、ＢＳ３０での第１の符号化率よりも小さい（即ち、誤り耐性の高い）第２の符号化率で符号化し、ＢＳ３０での第１の送信電力よりも低い第２の送信電力でＵＥ２０−２宛に送信する。
【００５８】
これにより、Home-NB１０から送信される制御信号が、ＢＳ３０から送信される制御信号の干渉となることを抑制することができる。また、Home-NB１０から送信される制御信号の符号化率を、ＢＳ３０から送信される制御信号の符号化率よりも小さくして伝送レートを下げる（誤り耐性を上げる）ので、Home-NB１０から送信される制御信号の送信電力をＢＳ３０から送信される制御信号の送信電力よりも下げることとしても、ＵＥ２０での受信品質劣化を抑制することができる。
【００５９】
一方、ＵＥ２０では、ＢＳ３０の無線サービスエリア１００に在圏してＢＳ３０に接続する場合には、既知の符号化率パラメータを基にＢＳ３０から受信した制御信号の復号を行なう。また、ＵＥ２０は、Home-NB１０の無線サービスエリア２００に在圏して当該Home-NB１０に接続する場合には、ＢＳ３０から報知されたHome-NB１０での符号化率パラメータを基にHome-NB１０から受信した制御信号の復号を行なう。このように、ＵＥ２０は、ＢＳ３０からの報知情報を基に、在圏する無線サービスエリア１００，２００に適切な符号化率パラメータを適応的に選択して、制御信号の復号を適切に行なうことが可能である。
【００６０】
〔３〕第１変形例
上述したセルサーチ部２３には、第２のセルサーチ部の一例として、より高速なセルサーチの実現を目的として、多段階セルサーチ（例えば、３段階セルサーチ）を適用することができる。例示的に、３段階セルサーチでは、以下の処理１〜３が実施される。
処理１：プライマリ同期チャネルの検出およびスロットタイミングの同期
処理２：セカンダリ同期チャネルの検出およびスクランブリングコードのコードグループの同定
処理３：スクランブリングコードの同定
このような３段階セルサーチでは、複数種類のコード（パターン）が用いられる。例えば、第１段階の処理１では、プライマリ同期コード、第２段階の処理２ではセカンダリ同期コード、第３段階の処理３ではスクランブリングコード、がそれぞれ用いられる。
【００６１】
プライマリ同期コードは、無線サービスエリア１００，２００に共通のコードパターンを有する。これは、セルサーチ用の同期チャネルが、無線サービスエリア１００，２００に共通なものとして設定されることを意味する。スクランブリングコードは、例示的に、５１２種類用意され、複数（例えば、８コードずつの６４種類）のコードグループにグループ化される。セカンダリ同期コードは、例示的に、１６種類用意され、この１６種類のコードのスロット割当パターンの相違によって、前記６４種類のスクランブリングコードのコードグループを表示することができる。
【００６２】
つまり、第１段階の処理１でプライマリ同期コードを用いた相関処理によりスロットタイミングの同期が検出されれば、セカンダリ同期コードを用いた相関処理を行なうことにより、そのスロットタイミングに同期して割り当てられているスロット割当パターン、すなわち、コードグループの同定が可能となる。第３段階の処理３では、スクランブリングコードを用いた相関処理により、このように同定されたコードグループに属するスクランブリングコードの検出を行なう。
【００６３】
ここで、第２段階の処理２で用いる１６種類のセカンダリ同期コードを、ＢＳ３０の制御信号の符号化率（パラメータ）及びHome-NB１０の制御信号の符号化率（パラメータ）の別にグルーピングして割り当てることとすれば、ＵＥ２０は、３段階セルサーチの第２段階の処理２で、ＢＳ３０の無線サービスエリア１００及びHome-NB１０の無線サービスエリア２００で用いられる制御信号の符号化率を識別することが可能となる。
【００６４】
例示的に、ＢＳ３０及びHome-NB１０での符号化率（パラメータ）が固定であるとすれば、送信元（ＢＳ３０かHome-NB１０か）の別にセカンダリ同期コードの割り当てをグルーピングすることで、それぞれが送信する制御信号の符号化率を識別できることになる。
一例を図７に示す。この図７では、例示的に、１６種類のセカンダリ同期コード＃０〜＃１５のうち、コードグループ番号＃０〜＃９のセカンダリ同期コードは、ＢＳ３０に、コードグループ番号＃１０〜＃１５のセカンダリ同期コードは、Home-NB１０に割り当てる様子を示している。これは、セカンダリ同期コードのコードグループの送信元別のグルーピングによる１ビット情報（属性情報）が、無線サービスエリア１００，２００に共通の同期チャネルに付与されていることと等価である。
【００６５】
セルサーチ部（第２のセルサーチ部）２３は、上記のプライマリ同期コード、セカンダリ同期コード、スクランブリングコードを保有し、第２段階の処理２において、セカンダリ同期コードを用いた相関処理を行なうことにより、コードグループの同定とともに、通信先がＢＳ３０かHome-NB１０かを識別してそれぞれの制御信号の符号化率（パラメータ）を識別することができる。
【００６６】
このようにして識別された符号化率パラメータは、ＢＣＨ／ＰＣＨ符号化率決定部２６に与えられ、ＢＣＨ／ＰＣＨ符号化率決定部２６は、パラメータ切替部２７を通じて、与えられた符号化率パラメータを復号化部２４，２５に設定する。
これにより、ＵＥ２０は、通信先（ＢＳ３０かHome-NB１０か）に応じた符号化率パラメータを用いて、当該通信先からの制御信号を適切に受信、復号することが可能となる。
【００６７】
したがって、ＵＥ２０は、上述した実施形態に比して、より高速な符号化率（パラメータ）の識別が可能となる。
なお、上述した例では、セカンダリ同期コードのコードグループを制御信号の送信元別にグルーピングして割り当てることとしているが、制御信号の符号化率別にグルーピングして割り当てることも、可能である。また、前記属性情報としてセカンダリ同期コード（コードグループ）に付与されるのは２ビット以上の情報である場合もある。
【００６８】
〔４〕第２変形例
上述したようにHome-NB１０から送信する制御信号の符号化率をＢＳ３０から送信する制御信号の符号化率よりも下げる（低レート化する）場合、Home-NB１０から送信する制御信号の方がＢＳ３０から送信する制御信号よりも情報量（ビット数）が増える。Home-NB１０では、このビット数が増えた制御信号を図３に例示した変調部１４にて変調信号としてマッピングすることになる。
【００６９】
そのため、変調部１４では、単位時間あたりにマッピングできるビット数を増加させたい。そのためには、多値変調方式の多値度を上げることが考えられるが、高いSignal to Interference Ratio（ＳＩＲ，信号対雑音比）が要求されることになる。その場合、ＵＥ２０における受信品質保証のために、Home-NB１０は、送信電力を増加することが好ましい。しかし、この送信電力の増加は、Home-NB１０の送信電力を減らして干渉を抑制するという本来の目的に反することとなる。
【００７０】
そこで、符号化部１１，１２による符号化前の制御信号の情報ビット数を減らすことも考えられる。Home-NB１０は、ある意味では孤立したセルであるため、例えばＢＣＨ信号に含める周辺セル情報などを削除することで、ＢＣＨ信号の情報ビット数を減らすことが可能である。
あるいは、単位時間を無線通信システムで用いる基本フレーム時間よりも長くする（例えば、整数倍とする）ことで、変調信号としてマッピング可能なビット数を増加させることも可能である。例えば図８に示すように、単位時間を１フレーム時間から４フレーム時間に増やせば、１フレームあたり１０ビットの情報を変調信号にマッピングできる場合、４倍の４０ビットを変調信号にマッピングすることが可能となる。
【００７１】
したがって、Home-NB１０は、ＢＳ３０での制御信号の符号化率よりも低い符号化率で制御信号を符号化することによるビット数の増加分を、変調方式の多値度や基本フレームのフォーマットを変更せずに、また、送信電力を増加せずに、ＵＥ２０宛に送信することができる。
この場合、ＵＥ２０において適切な復調処理を可能とするために、単位時間が基本フレームとは異なることをＵＥ２０に通知するのが好ましい。例えば、フレーム長に関する情報をHome-NB１０から無線サービスエリア２００に在圏するＵＥ２０に通知することができる。その通知方法としては、例えば、既述のようにＢＳ３０からHome-NB１０に報知する情報（符号化率等）の付随情報として、あるいは個別の情報として、報知することができる。
【００７２】
また、既述のセルサーチの過程で符号化率を同定したのと同様にしてフレーム長に関する情報を同定することも可能である。例えば、ＢＳ３０とHome-NB１０とで送信フレーム長に応じたセルサーチ（同期検出）方法（セルサーチに用いる既知信号パターンが送信されるチャネル）をそれぞれ規定しておき、ＵＥ２０でこの規定された複数種類のセルサーチを行なうことで、前記フレーム長の同定が可能である。また、３段階セルサーチの第２段階の処理に用いられるセカンダリ同期コードのコードグループを、ＢＳ３０及びHome-NB１０のフレーム長別にグルーピングして割り当てることで、３段階セルサーチの第２段階の処理でフレーム長を同定することも可能である。
【００７３】
〔５〕その他
なお、上述したHome-NB１０、ＵＥ２０及びＢＳ３０の各処理は、必要に応じて取捨選択してもよいし、適宜組み合わせてもよい。
また、上述した例の他にも、第１及び第２の符号化率を変えずに第２の送信電力を第１の送信電力よりも低くするようにしてもよい。このとき、第１及び第２の符号化率が同じであってもよい。
【００７４】
さらに、第１及び第２の送信電力を変えずに第１の符号化率を第２の符号化率よりも小さくするようにしてもよい。このとき、第１及び第２の送信電力が同じであってもよい。
また、上述した例では、無線通信システムにおいて、１台のＢＳ３０及び１台のHome-NB１０に着目しているが、複数のＢＳ３０の一部又は全部、複数のHome-NB１０の一部又は全部で、制御信号の符号化率、送信電力を変えてもよい。
【００７５】
さらに、Home-NB１０は、第１の符号化率よりも小さい複数の符号化率から所定の符号化率を選択するとともに、第１の送信電力よりも低い複数の送信電力値から所定の送信電力を選択するようにしてもよい。
例えば、Home-NB１０は、ＢＳ３０とＵＥ２０−１との間の距離及びHome-NB１０とＵＥ２０−１との距離などに応じて、符号化率及び送信電力を適応的に制御（例えば、距離が短いほど小さくなる方向に制御）してもよい。また、ＵＥ２０での受信電波強度に応じて、符号化率及び送信電力を適応的に制御（例えば、受信電波強度が大きいほど小さくなる方向に制御）してもよい。
【００７６】
以上の実施例及び変形例を含む実施形態に関し、さらに以下の付記を開示する。
〔６〕付記
（付記１）
第１の無線基地局と、第２の無線基地局と、前記第１あるいは第２の無線基地局と通信し得る無線端末と、をそなえた無線通信システムの無線通信方法であって、
第１の無線エリアを提供する前記第１の無線基地局は、
前記第１の無線エリアへ送信する第１の信号を、第１の符号化率で符号化して第１の送信電力で前記第１の無線エリアへ送信し、
前記第１の無線エリアに属し、第２の無線エリアを提供する前記第２の無線基地局は、
前記第１の信号と共通する第２の信号を、第２の符号化率で符号化して第２の送信電力で前記第２の無線エリアへ送信する、
ことを特徴とする、無線通信方法。
【００７７】
（付記２）
前記第２の符号化率は前記第１の符号化率より小さく、前記第２の送信電力は前記第１の送信電力より低い、
ことを特徴とする、付記１記載の無線通信方法。
（付記３）
前記第１の無線基地局は、
前記第１の無線エリアに属する前記第２の無線基地局で用いる前記第２の符号化率に関する情報を収集して、前記第１の無線エリア内の無線端末に通知する、
ことを特徴とする、付記１又は２に記載の無線通信方法。
【００７８】
（付記４）
前記通知は、同報チャネルを用いて行なう、
ことを特徴とする、付記３記載の無線通信方法。
（付記５）
前記第１の無線基地局は、
前記第１の符号化率に応じたセルサーチ用のコードパターンを前記第１の無線エリアに送信し、
前記第２の無線基地局は、
前記第２の符号化率に応じたセルサーチ用のコードパターンを前記第２の無線エリアに送信し、
前記無線端末は、
セルサーチ処理の過程で前記コードパターンのいずれかを検出することで、前記第１及び第２の符号化率を識別する、
ことを特徴とする、付記１又は２に記載の無線通信方法。
【００７９】
（付記６）
前記第１の無線基地局は、
前記第１及び第２の無線エリアに共通のセルサーチ用同期チャネルの信号に、前記第１の符号化率に応じた情報を付与した信号を前記第１の無線エリアに送信し、
前記第２の無線基地局は、
前記共通のセルサーチ用同期チャネルの信号に、前記第２の符号化率に応じた情報を付与した信号を前記第２の無線エリアに送信し、
前記無線端末は、
前記セルサーチ用同期チャネルの信号に付与された情報により、前記第１及び第２の符号化率を識別する、
ことを特徴とする、付記１又は２に記載の無線通信方法。
【００８０】
（付記７）
前記第２の無線基地局は、
前記第２の符号化率で符号化した第２の信号を、前記第１の符号化率で符号化した第１の信号を送信するのに用いるフレーム長よりも長いフレーム長の送信フレームにマッピングして、前記第２の無線エリアに送信する、
ことを特徴とする、付記１〜６のいずれか１項に記載の無線通信方法。
【００８１】
（付記８）
第１の無線エリアを提供する第１の無線基地局と、前記第１の無線エリアに属し第２の無線エリアを提供する第２の無線基地局と、前記第１あるいは第２の無線基地局と通信し得る無線端末と、をそなえた無線通信システムの前記第２の無線基地局であって、
前記第１の無線基地局が前記第１の無線エリアへ送信する第１の信号と共通し、かつ、前記第２の無線エリアへ送信する第２の信号を、第２の符号化率で符号化する符号化処理部と、
前記符号化処理部で符号化処理を施された前記第２の信号を、第２の送信電力で送信する送信処理部と、をそなえた、
ことを特徴とする、無線基地局。
【００８２】
（付記９）
前記第２の符号化率は前記第１の信号についての第１の符号化率より小さく、前記第２の送信電力は前記第１の無線基地局が前記第１の信号を前記第１の無線エリアに送信する第１の送信電力より低い、
ことを特徴とする、付記８記載の無線基地局。
【００８３】
（付記１０）
第１の無線エリアを提供する第１の無線基地局と、前記第１の無線エリアに属し第２の無線エリアを提供する第２の無線基地局と、前記第１あるいは第２の無線基地局と通信し得る無線端末と、をそなえた無線通信システムの前記無線端末であって、
前記第１の無線基地局が第１の信号を第１の符号化率で符号化して第１の送信電力で前記第１の無線エリアへ送信した信号と、前記第２の無線基地局が前記第１の信号と共通する第２の信号を、第２の符号化率で符号化して第２の送信電力で前記第２の無線エリアへ送信した信号と、を受信しうる受信部と、
前記第１の無線エリアにおいて前記受信部で受信した前記第１の信号については前記第１の符号化率に応じた復号化を行ない、前記第２の無線エリアにおいて前記受信部で受信した前記第２の信号については前記第２の符号化率に応じた復号化を行なう復号化処理部と、をそなえた、
ことを特徴とする、無線端末。
【００８４】
（付記１１）
前記第２の符号化率は前記第１の符号化率より小さく、前記第２の送信電力は前記第１の送信電力より低い、
ことを特徴とする、付記１０記載の無線端末。
（付記１２）
前記受信部は、
前記第１の無線基地局が前記第１の無線エリアに送信した、前記第１の符号化率に応じたセルサーチ用のコードパターンと、前記第２の無線基地局が前記第２の無線エリアに送信した、前記第２の符号化率に応じたセルサーチ用のコードパターンと、のいずれかを検出し、検出したコードパターンにより識別される前記第１又は第２の符号化率を前記復号化処理部に与える第１のセルサーチ部をさらにそなえた、
ことを特徴とする、付記１０又は１１に記載の無線端末。
【００８５】
（付記１３）
前記受信部は、
前記第１の無線基地局が、前記第１の無線エリアに送信した前記第１及び第２の無線エリアに共通のセルサーチ用同期チャネルの信号であって、前記第１の符号化率に応じた情報が付与された信号と、前記第２の無線基地局が、前記第２の無線エリアに送信した前記共通のセルサーチ用同期チャネルの信号であって、前記第２の符号化率に応じた情報が付与された信号と、のいずれかを検出し、検出した信号に付与された前記情報により識別される前記第１又は第２の符号化率を前記復号化処理部に与える第２のセルサーチ部をさらにそなえた、
ことを特徴とする、付記１０又は１１に記載の無線端末。
【００８６】
（付記１４）
前記第１及び第２の信号は、それぞれ、前記無線エリア内の複数の無線端末宛に共通に送信する共通制御信号である、ことを特徴とする、付記１０〜１３のいずれか１項に記載の無線端末。
（付記１５）
第１の無線エリアを提供する第１の無線基地局と、
前記第１の無線エリアに属し第２の無線エリアを提供する第２の無線基地局と、
第１の信号を、第１の符号化率で符号化して第１の送信電力で前記第１の無線エリアに送信する第１の送信手段と、
前記第１の信号と共通する第２の信号を、第２の符号化率で符号化して第２の送信電力で前記第２の無線エリアに送信する第２の送信手段と、
前記第１及び第２の信号を受信して、それぞれの符号化率に応じた復号化を行なう無線端末と、をそなえた、
ことを特徴とする、無線通信システム。
【００８７】
（付記１６）
前記第２の符号化率は前記第１の符号化率より小さく、前記第２の送信電力は前記第１の送信電力より低い、
ことを特徴とする、付記１５記載の無線通信システム。
【符号の説明】
【００８８】
１０  Home-NB
１１，１２  符号化部
１３  多重化部
１４  変調部
１５  増幅部
１６  制御部
１７  サービスエリア判定部
１８  設置報告部
２０−１，２０−２  ＵＥ（無線端末）
２１  復調部
２２  分離部
２３  セルサーチ部
２４，２５  復号化部
２６  ＢＣＨ／ＰＣＨ符号化率検出部
２７  パラメータ切替部
３０  ＢＳ
３１  情報収集部
３２  ＢＣＨ生成部
３３，３４  符号化部
３５  多重化部
３６  変調部
３７  増幅部
４０  上位ノード
１００  第１の無線サービスエリア（セル又はセクタ）
２００  第２の無線サービスエリア（セル又はセクタ）
【図１】
2012130074.tif 000003
【図２】
2012130074.tif 000004
【図３】
2012130074.tif 000005
【図４】
2012130074.tif 000006
【図５】
2012130074.tif 000007
【図６】
2012130074.tif 000008
【図７】
2012130074.tif 000009
【図８】
2012130074.tif 000010